【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
外部接続用の電極（１６）が表面に露出して設けられ、該電極（１６）を除いて全面に樹脂モールド（２８）が施されて略直方体に形成された回路基板（５）と、前記回路基板（５）を収容するケース（１８）とからなるエンジン制御装置（３０）において、
前記回路基板（５）が、前記ケース（１８）に対して非接触となるように空間（Ａ）を有して収容されており、
前記回路基板（５）の端面（５Ｓ）から外方向に向けて突出形成された弾性部材（１２、２２）を備え、
前記弾性部材（１２、２２）の端部が前記ケース（１８）の内壁面に支持されていることを特徴とするエンジン制御装置。
【請求項２】
前記弾性部材（１２、２２）の端部が前記ケース（１８）の内壁面に形成された支持凹部（１８１、１８２）に嵌合されていることを特徴とする請求項１記載のエンジン制御装置。
【請求項３】
前記ケース（１８）には、該ケース内外を貫通して形成されたハーネス通し孔（３２）が形成されており、
前記ハーネス通し孔（３２）と該ハーネス通し孔（３２）を通して配索されるハーネス（２９）との間にはシール（３３）が設けられていることを特徴とする請求項１または２記載のエンジン制御装置。
【請求項４】
前記電極（１６）が、前記ハーネス（２９）が接続される電極であり、
前記樹脂モールド（２８）が、前記回路基板（５）の表面のうち前記電極（１６）が設けられている部分および前記弾性部材（１２、２２）が形成されている部分を除いた部分に施されていることを特徴とする請求項３記載のエンジン制御装置。
【請求項５】
前記ケース（１８）の１側部に外部接続用カプラ（３４）が取り付けられ、該カプラ（３４）から延長されて前記回路基板（５）に設けられる外部接続用の電極（１６）に接続される導線（３７）が設けられていることを特徴とする請求項１または２記載のエンジン制御装置。
【請求項６】
前記ケース（１８）が、ケース本体（１８３）およびケース本体（１８３）に被せられる蓋（１８４）を備え、
前記弾性部材（１２、２２）が、前記ケース本体（１８３）および前記蓋（１８４）の合わせ部によって挟持されていることを特徴とする請求項１〜５のいずれかに記載のエンジン制御装置。
【請求項７】
前記弾性部材（１２）が柱状であることを特徴とする請求項１〜６のいずれかに記載のエンジン制御装置。
【請求項８】
前記弾性部材（２２）が板状であることを特徴とする請求項１〜６のいずれかに記載のエンジン制御装置。
【請求項９】
前記弾性部材（１２、２２）が、ゴムからなることを特徴とする請求項１〜８のいずれかに記載のエンジン制御装置。
【請求項１０】
前記弾性部材（１２）が、コイルバネであることを特徴とする請求項１〜６のいずれかに記載のエンジン制御装置。
【請求項１１】
前記回路基板（５）を収容するケース（１８）が、エンジンのスロットルボディ（３８）に取り付けられるＥＣＵケースであり、
前記回路基板（５）が、前記弾性部材（１２）によって前記ケース（１８）内にフローティング状態で支持されていることを特徴とする請求項１〜１０のいずれかに記載のエンジン制御装置。
【請求項１２】
前記回路基板（５）が、前記端面（５Ｓ）に直交する第１の面（４２）および第２の面（４３）にそれぞれ前記電極（１６ａ、１６ｂ）を有しており、
前記ケース（１８）に係合して、該ケース（１８）に対して前記端面（５Ｓ）に直交する方向での移動を規制する突出部（１２ａ、１２ｂ）を備えていることを特徴とする請求項１１記載のエンジン制御装置。
【請求項１３】
前記ケース（１８）の端面を覆い、ケース（１８）側に延在するリブ（３９２）を有するＥＣＵカバー（３９）を備え、
前記ケース（１８）に設けられる壁部分（１８６）と、該壁部部分（１８６）に平行に延在するステー（１８５）との間に形成される間隙に、前記リブ（３９２）が嵌合するように構成されていることを特徴とする請求項１２記載のエンジン制御装置。
【請求項１４】
前記樹脂モールド（２８）が、さらに前記突出部（１２ａ、１２ｂ）をも除いて施されていることを特徴とする請求項１１記載のエンジン制御装置。
【請求項１５】
自動二輪車に搭載され、該自動二輪車の駆動用エンジンに適用されることを特徴とする請求項１〜１４のいずれかに記載のエンジン制御装置。
【手続補正２】
【補正対象書類名】明細書
【補正対象項目名】００２７
【補正方法】変更
【補正の内容】
【００２７】
以下、図面を参照して本発明の一実施形態を説明する。図１１は、本発明の一実施形態に係るＥＣＵが取り付けられたスロットル装置を適用した自動二輪車１の側面図である。また、図１２は、図１１のスロットル装置部分の拡大図である。メインフレーム３の前方側端部には、フロントフォーク４を操向可能に支承するヘッドパイプ２が取り付けられる。後ろ下がりに延びるメインフレーム３の後端部には、ピボットプレート６２と、メインフレーム３に前端が溶接されて後上がりに延びる左右一対のシートレール１７と、シートレール１７の中間部およびピボットプレート６２間を結ぶ左右一対の補強フレーム２１とが取り付けられる。
【手続補正３】
【補正対象書類名】明細書
【補正対象項目名】００４０
【補正方法】変更
【補正の内容】
【００４０】
図６は、ハーネスを接続したＥＣＵの斜視図であり、図７は、図６に示したＥＣＵの断面図である。図６において、ケース１８はＥＣＵ３０をエンジンＥに取り付けるためのステー２５を側面２６とその反対側の面に備えている。図７において、回路基板５の表面には、外部接続用の電極１６と突出部２２とを除いて、樹脂モールド２８を施している。電極１６には、ハーネス２９の各導線または信号線が接続され、ハーネス２９は、ケース１８の側面３１に形成されたハーネス通し孔３２を通して外部に引き出される。ハーネス通し孔３２には、ゴムからなる筒状部材（ブーツ）３３が設けられ、ハーネス２９とハーネス通し孔３２との間の防水シールを構成している。図７に示した例では、突出部２２は、ハーネス２９が引き出されている側には設けていない。つまり、回路基板５は３箇所の突出部２２でケース１８内に空間（空気層）Ａを有してフローティング状態で支持されている。
【手続補正４】
【補正対象書類名】明細書
【補正対象項目名】００４７
【補正方法】変更
【補正の内容】
【００４７】
ＥＣＵカバー３９は、略矩形であるケース１８の端部を覆うカバーであるとともに、ハーネス２９を構成する複数の信号線（または導線）２９ａを収容し、導線２９ａを回路基板５に電気的に接続するカプラまたはコネクタとしての機能を有する。ＥＣＵカバー３９は、樹脂またはゴム等、可撓性材料であるのが好ましい。
【手続補正５】
【補正対象書類名】明細書
【補正対象項目名】００４８
【補正方法】変更
【補正の内容】
【００４８】
ＥＣＵカバー３９には、端子３６および導線２９ａの先端部を収容するガイド孔３９ａが設けられる。ガイド孔３９ａは、使用が予定される導線２９ａの数に相当する数だけ形成され、回路基板５の表面４２に対して下斜め方向に角度θを有して延びている。導線２９ａの周りにはゴムブッシュ６１が被せられており、該ゴムブッシュ６１の周囲をガイド孔３９ａの内周面に当接させることで防水性をもたせている。
【手続補正６】
【補正対象書類名】明細書
【補正対象項目名】００５０
【補正方法】変更
【補正の内容】
【００５０】
回路基板５の端面（図１３では、上面および下面）５Ｓには、突出部１２が固着され、ケース１８は、内面側に突出部１２の先端を支持する支持凹部（図２の支持凹部１８１参照）を有しており、この支持凹部に突出部１２の先端部が嵌挿される。
【手続補正７】
【補正対象書類名】明細書
【補正対象項目名】００５３
【補正方法】変更
【補正の内容】
【００５３】
表面４２、裏面４３および端面５Ｓを含む回路基板５の外表面は、電極１６ａ、１６ｂならびに突出部１２、１２ａ、１２ｂを設けた部位を除き、樹脂材によってモールド２８が施される。つまり電極１６ａ、１６ｂならびに突出部１２、１２ａ、１２ｂは、樹脂材でカバーされず、回路基板５の表面４２、裏面４３および端面５Ｓ側で露出している。樹脂モールド方法としては、加熱加圧した樹脂を加熱金型の中に注入する加圧成型方法（トランスファモールド成型）を使用するのがよい。
【手続補正８】
【補正対象書類名】明細書
【補正対象項目名】００５５
【補正方法】変更
【補正の内容】
【００５５】
ケース１８の上壁および下壁には、それぞれ係合用突起５０が形成され、ＥＣＵカバー３９側にはケース１８の係合用突起５０が嵌る係合用孔５０ａがそれぞれ形成される。係合用孔５０ａには外側からカバー部材３９１を取り付けるのがよい。係合用突起５０が形成されているケース１８の上辺部分１８６（壁部分）より内側（つまり回路基板５寄り）に該上辺部分１８６と平行に延在するステー１８５が設けられる。
【手続補正９】
【補正対象書類名】明細書
【補正対象項目名】００５８
【補正方法】変更
【補正の内容】
【００５８】
その結果、例えば、図１１に示した構成において、回路基板５が上下振動すると、ステー１８５が開こうとする（上方向に撓もうとする）ので、回路基板５とＥＣＵカバー３９とが相対的に変位し、回路基板５の表面４２側に形成される電極１６ａと、端子３６とが互いに擦れ合って摩耗を生じさせるおそれがある。
【手続補正１０】
【補正対象書類名】図面
【補正対象項目名】図１３
【補正方法】変更
【補正の内容】
【図１３】
2012077674.tif 000001